(57)【要約】【課題】回転体の外周面がアスファルトの垂直切断面に衝突せず長い距離に亘ってテーパー状に研磨することができると共に、摩耗した切削ビットだけを交換できるアスファルト面取装置のグラインダーを提供するものである。    【解決手段】中空切頭円錐状をなす回転体１１の小径側を下方に向けて、その外周面を縦断凹曲面１３に形成し、回転体１１の内側の中空部１６から外周面に向かって放射状に複数個の貫通孔１７を開孔し、台座１９を取付けた切削ビット１４を中空部１６の内側から貫通孔１７を着脱自在に貫通させ、且つ切削ビット１４の先端が回転体外周の大径側から小径側に向かうテーパー２１に沿って直線上に位置するように配置すると共に、前記中空部１６に切削ビット押え枠２０を着脱自在に挿着して、切削ビット１４の台座１９を背面側から支持するようにしたものである。【選択図】  図２
2008121370.tif 000002
【特許請求の範囲】
【請求項１】
中空切頭円錐状をなす回転体の小径側を下方に向けて、その外周面を縦断凹曲面に形成し、回転体の内側の中空部から外周面に向かって放射状に複数個の貫通孔を開孔し、台座を取付けた切削ビットを中空部の内側から前記貫通孔を着脱自在に貫通させ、且つ切削ビットの先端が回転体外周の大径側から小径側に向かうテーパーに沿って直線上に位置するように配置すると共に、前記中空部に切削ビット押え枠を着脱自在に挿着して、切削ビットの台座を背面側から支持するようにしたことを特徴とするアスファルト面取装置のグラインダー。
【請求項２】
切削ビット押え枠が、中空切頭円錐状に形成されて、これを中空部に挿着して切削ビットの台座を背面側から支持するようにしたことを特徴とする請求項１記載のアスファルト面取装置のグラインダー。
【請求項３】
請求項１または２記載のアスファルト面取装置のグラインダーにおいて、更に中空切頭円錐状をなす回転体の大径側に、フランジをボルトで着脱自在に接合すると共に、このフランジに回転軸と接続する軸挿着溝を形成したことを特徴とするアスファルト面取装置のグラインダー。
【発明の詳細な説明】
【技術分野】
【０００１】
本発明はアスファルト舗装する場合に、アスファルト舗装の垂直切断面をテーパー状に研磨するアスファルト面取装置に取付けるグラインダーの改良に関するものである。
【背景技術】
【０００２】
一般に、アスファルト舗装面を修復する場合、アスファルトカッターで、補修面との境界を垂直に切断し、補修面側のアスファルト舗装を剥がして、コンクリート面や砂利面を露出させた後、この上に、新たなアスファルトを敷き詰めて、転圧して修復している。
【０００３】
このアスファルトカッターで切断した補修面との境界は、垂直な切断面となっているので、新たなアスファルトを敷き詰めた場合、６カ月から１年程度経過すると、このつないだ境界部分から剥離する問題があった。
【０００４】
このため本発明者は図７に示すように、切頭円錐状の回転体１の外周面に三角や四角の切削ビット２を複数個突設したグラインダー３を、その小径側を下方に向けて走行装置４の側方に取付け、エンジン５によりグラインダー３を回転させながら、アスファルト舗装面６の垂直切断面７を斜めに研磨するアスファルト面取装置９（特許文献１）を先に開発した。しかしながら、この三角や四角の切削ビット２は、加工が面倒でコストが高い問題があった。このため本発明者は図８に示すように、円柱部の先端を山形に尖らせた切削ビット２を回転体１の外周面に縦方向に複数列突設したグラインダー３を開発した。
【０００５】
しかしながらこのグラインダー３は、切削ビット２が次第に消耗して短くなってくると、図９に示すようにほぼ同じ高さに突設した隣接する切削ビット２、２との間の回転体１の外周面が、アスファルト舗装面６の垂直切断面７に衝突して、切削ビット２の先端が垂直切断面７に当らず研磨できなくなり、グラインダー３を短期間で交換しなければならなかった。また回転体１の外周面も垂直切断面７に接触して次第に損耗してくるが、この時の摩擦熱により回転体１の温度が上昇して蓄熱する問題があった。
【特許文献１】特開２００３ー３２８３１６
【発明の開示】
【発明が解決しようとする課題】
【０００６】
本発明は上記問題を改善し、回転体の外周面がアスファルトの垂直切断面に衝突せず長い距離に亘ってテーパー状に研磨することができると共に、摩耗した切削ビットだけを交換でき、しかも回転体の外周面の損耗や温度上昇を押えて、耐久性を向上させたアスファルト面取装置のグラインダーを提供するものである。
【課題を解決するための手段】
【０００７】
本発明の請求項１記載のアスファルト面取装置のグラインダーは、中空切頭円錐状をなす回転体の小径側を下方に向けて、その外周面を縦断凹曲面に形成し、回転体の内側の中空部から外周面に向かって放射状に複数個の貫通孔を開孔し、台座を取付けた切削ビットを中空部の内側から前記貫通孔を着脱自在に貫通させ、且つ切削ビットの先端が回転体外周の大径側から小径側に向かうテーパーに沿って直線上に位置するように配置すると共に、前記中空部に切削ビット押え枠を着脱自在に挿着して、切削ビットの台座を背面側から支持するようにしたことを特徴とするものである。
【０００８】
本発明の請求項２記載のアスファルト面取装置のグラインダーは、請求項１において、切削ビット押え枠が、中空切頭円錐状に形成されて、これを中空部に挿着して切削ビットの台座を背面側から支持するようにしたことを特徴とするものである。
【０００９】
本発明の請求項３記載のアスファルト面取装置のグラインダーは、請求項１または２において、更に中空切頭円錐状をなす回転体の大径側に、フランジをボルトで着脱自在に接合すると共に、このフランジに回転軸と接続する軸挿着溝を形成したことを特徴とするものである。
【発明の効果】
【００１０】
本発明に係る請求項１記載のアスファルト面取装置のグラインダーによれば、複数個の切削ビットは、その先端が回転体外周の大径側から小径側に向かうテーパーに沿って直線上に配置されるように突設されているので、垂直切断面が効率よく研磨されてテーパー状研磨面が形成され、新たに敷き詰めたアスファルトの食い込みが良く、接着性を向上させることができる。
【００１１】
また回転体の外周面は縦断凹曲面に形成され、ここに複数個の切削ビットが間隔をおいて突設されているので、切削ビットの先端が摩耗して短くなってきても、回転体の外周面が垂直切断面に当って損耗するのを防止して、確実に切削ビットの先端がアスファルトの垂直切断面に当るので、長い距離にわたって研磨することができる。
【００１２】
また切削ビットは回転体の貫通孔に着脱自在に取付けられているので、切削ビットが摩耗して短くなっても、摩耗した切削ビットだけを交換したり、取付け位置のローテーションを行なえるので消耗品である切削ビットのコストを低減させることができる。
【００１３】
また請求項２記載のアスファルト面取装置のグラインダーによれば、回転体の貫通孔に台座を取付けた切削ビットを貫通させ、この台座を中空切頭円錐状に形成された切削ビット押え枠を中空部に装着することにより、同時に複数の台座を背面側から同時に支持してワンタッチで固定することができる。
【００１４】
また請求項３記載のアスファルト面取装置のグラインダーによれば、切頭円錐状をなす回転体の大径側に、フランジがボルトで着脱自在に接合されているので、切削ビットが摩耗して短くなって交換する場合には、フランジから回転体を外し、更にこの内側の切削ビット押え枠を取外せば切削ビットだけを簡単に交換することができる。
【発明を実施するための最良の形態】
【００１５】
以下、本発明の実施の一形態を図１ないし図６を参照して詳細に説明する。グラインダー１０は図１および図２に示すように、中空切頭円錐状をなす回転体１１の外周面に縦断凹曲面１３が形成され、ここに円柱部の先端を山形に尖らせた複数個の切削ビット１４が突設されている。
【００１６】
また前記切頭円錐状をなす回転体１１は、図２に示すようにその内側に小径側と大径側で開口する中空部１６が形成されている。また回転体１１には、その中空部１６の内側から外周面に向かって放射状に複数個の貫通孔１７が開孔されている。貫通孔１７の中空部１６側の内面には長方形状の嵌合溝１８が形成されている。この貫通孔１７は、回転体１１の外周面に形成した複数本の螺旋状の軌跡に沿って間隔をおいて形成されている。
【００１７】
また切削ビット１４は図３に示すように、円柱部の先端を山形に尖らせた切削ビット１４の基端側に直方体状の台座１９を一体に接合したもので、この切削ビット１４を、中空部１６の内側から貫通孔１７に通して先端を外周面から突設させ、台座１９を中空部１６の内面に形成した嵌合溝１８に嵌合させたものである。また中空部１６の内側には、中空切頭円錐状をなす切削ビット押え枠２０を挿着して、切削ビット１４の台座１９を背面側から抜け落ちないように支持している。
【００１８】
このように切削ビット１４を取付けると、回転体１１の外周面に形成した複数本の螺旋状の軌跡に沿って間隔をおいて突設されると共に、切削ビット１４の先端は図２に示すように、回転体１１の外周の大径側から小径側に向かうテーパー２１に沿って直線上に位置するように突設される。
【００１９】
また回転体１１の上面には、円形の凹溝が形成され、ここに中空切頭円錐状をなす切削ビット押え枠２０の上部を押えるゴム板などの円板状の弾性板２２が取付けられている。またこの周囲の回転体１１の上面には、複数本のボルト２３が突設されている
【００２０】
また２４は回転体１１の上部に取付けられたフランジで、その上面中心に円柱部２５が形成され、ここに断面六角形の回転軸２６を挿着する軸挿着溝２７が形成され、連結ボルト２８で一体に連結されている。更に前記フランジ２４と円板状の弾性板２２には中空部１６と連通する空気抜き孔２９が開孔されている。
【００２１】
このグラインダー１０は、図４および図５に示す走行装置４に取付けられる。この走行装置４は、車体３０に取付けたエンジン５に接続する駆動側の後輪タイヤ３２Ａ、３２Ｂと前輪タイヤ３３Ａ、３３Ｂと、中間に上下動自在に取付けた補助輪３４Ａ、３４Ｂとから構成されている。駆動側の一方の後輪タイヤ３２Ａの直径Ｄ１ は、図５に示すように他方の後輪タイヤ３２Ｂの直径Ｄ２ より大きく形成されている。また前輪タイヤ３３Ａ、３３Ｂの直径Ｄ３ 、Ｄ４ は他方の後輪タイヤ３２Ｂの直径Ｄ２ と同じに形成されている。
【００２２】
この走行装置４の直径Ｄ１ が大きい駆動側の後輪タイヤ３２Ａを取付けた側方には、グラインダー１０が小径側を下方に向けて取付けられている。また図４に示すように車体３０のグラインダー１０側の前方にソリ状のガイド３５が上下方向に回動自在に且つ上下動自在に支持されている。
【００２３】
上記構成のアスファルト面取装置９は、先ず図示しない円板状の回転カッターを垂直に取付けたアスファルトカッターでアスファルト舗装面６を垂直に切断した後、垂直切断面７の片側のアスファルト舗装面６を剥離する。次に図４に示すように、本発明のアスファルト面取装置９のガイド３５とグラインダー１０を垂直切断面７に接触させる。
【００２４】
このようにセットしてからエンジン５を回転させ、この回転により駆動側の後輪タイヤ３２Ａ、３２Ｂが駆動して前進すると共に、エンジン５を回転させると、図示しないプーリーやベルト、回転軸、笠歯車を介して回転軸２６が水平方向に回転し、この下部に取付けたグラインダー１０が水平方向に回転する。
【００２５】
この時、ガイド３５の側面は垂直切断面７に接触しながら移動するが、図５に示すように駆動側の一方の後輪タイヤ３２Ａの直径Ｄ１ は、他方の後輪タイヤ３２Ｂの直径Ｄ２ より大きく形成されているので、車体３０は進行方向左側に曲がろうとする力が働き、ガイド３５が垂直切断面７に押し付けられて走行する。この結果、ガイド３５にガイドされながら、グラインダー１０が垂直切断面７に押し付けられて進行するので、垂直切断面７に沿ってテーパー状研磨面７ａが形成されていく。
【００２６】
この研磨過程でグラインダー１０は、図１に示すように切頭円錐状をなす回転体１１の外周面に、円柱部の先端を山形に尖らせた複数個の切削ビット１４が、回転体１１の外周面に形成した複数本の螺旋状の軌跡に沿って突設されていると共に、切削ビット１４の先端は図２に示すように、大径側から小径側に向かうテーパー２１に沿って直線上に突設されているので、垂直切断面７が効率よく研磨されてテーパー状研磨面７ａが形成され、新たに敷き詰めたアスファルト８の食い込みが良く、接着性を向上させることができる。
【００２７】
また回転体１１の外周面は縦断凹曲面１３が形成され、ここに複数個の切削ビット１４が間隔をおいて突設されているので、切削ビット１４の先端が摩耗して短くなってきても図６に示すように、回転体１１の外周面がテーパー状研磨面７ａに当らず、確実に切削ビット１４の先端がアスファルト８の垂直切断面７に当るので、長い距離にわたって研磨することができる。また切削ビット１４は基端側に直方体状の台座１９が接合され、これが直方体状の嵌合溝１８に嵌合しているので衝撃によって切削ビット１４が回転せず、確実に固定することができる。
【００２８】
また切削ビット１４と垂直切断面７との摩擦による摩擦熱が回転体１１に伝達されても、この内側に挿着した切削ビット押え枠２０の内側も中空になっているので、中空部１６の下端開口部から侵入した空気が上端の空気抜き孔２９から抜けて内部から空冷されるので、温度上昇を抑えて耐久性を向上させることができる。
【００２９】
また切削ビット１４は回転体１１の貫通孔１７に着脱自在に取付けられているので、切削ビット１４が摩耗して短くなって、摩耗した切削ビットだけを交換したり、取付け位置のローテーションを行なう場合、フランジ２４と切削ビット押え枠２０を外して、切削ビット１４だけを交換できるので、極めて経済的である。特に中段に配置した切削ビット１４の摩耗が激しいので、上下の切削ビット１４と交換することにより、全体を均一に摩耗させることができる
【００３０】
なお上記説明では複数個の切削ビット１４が、回転体１１の外周面に形成した複数本の螺旋状の軌跡に沿って突設した構造について説明したが、その配置は任意に選定することができる。また切削ビット１４や台座１９は上記構造に限らず他の構造のものを用いても良く、台座１９と嵌合溝１８は回転しない嵌合構造であれば良い。また切削ビット押え枠２０は切頭円錐状に限らず他の構造でも良い。
【図面の簡単な説明】
【００３１】
【図１】本発明の実施の一形態によるグラインダーを示す斜視図である。
【図２】図１のグラインダーを示す縦断面図である。
【図３】台座を取付けた切削ビットを示す斜視図である。
【図４】本発明のグラインダーを取付けたアスファルト面取装置の側面図である。
【図５】図４のアスファルト面取装置を示す平面図である。
【図６】グラインダーで垂直切断面を研磨している状態を示す水平断面図である。
【図７】従来のグラインダーを取付けたアスファルト面取装置を示す側面図である。
【図８】従来のグラインダーを示す正面図である。
【図９】従来のグラインダーで垂直切断面を研磨している状態を示す水平断面図である。
【符号の説明】
【００３２】
１    回転体                                                
２    切削ビット                                            
３    グラインダー                                          
４    走行装置                                              
５    エンジン                                              
６    アスファルト舗装面                                    
７    垂直切断面                                            
７ａ  テーパー状研磨面                                      
９    アスファルト面取装置                                  
１０  グラインダー                                          
１１  回転体                                                
１３  凹曲面                                                
１４  切削ビット                                            
１６  中空部                                                
１７  貫通孔                                                
１８  嵌合溝                                                
１９  台座                                                  
２０  切削ビット押え枠                                      
２１  テーパー                                              
２２  弾性板                                                
２４  フランジ      
２６  回転軸          
２９  空気抜き孔      
３２Ａ、３２Ｂ  後輪タイヤ  
３３Ａ、３３Ｂ  前輪タイヤ  
３５  ガイド        
【図１】
2008121370.tif 000003
【図２】
2008121370.tif 000004
【図３】
2008121370.tif 000005
【図４】
2008121370.tif 000006
【図５】
2008121370.tif 000007
【図６】
2008121370.tif 000008
【図７】
2008121370.tif 000009
【図８】
2008121370.tif 000010
【図９】
2008121370.tif 000011